(57)【要約】  加入者端末は、ＤＲＸ及び非ＤＲＸモードのための制限されたサブフレームで通信チャネルに対するチャネル測定を行うように構成される。前記加入者端末は、基地局から信号を受信するように構成される受信機を含む。前記加入者端末は、また、処理回路を含む。前記受信機がチャネル品質測定が測定に対して制限されたサブフレーム（ＲＦＳＭ）で行われるように示す上位階層シグナリングを受信するとき、前記処理回路は、通信チャネルの品質をモニターするための測定期間を拡張する。
2013542684.tif 000002
【特許請求の範囲】
【請求項１】
無線通信ネットワークで使用するために、通信チャネルに対するチャネル測定を行うための加入者端末において、
基地局から信号を受信する受信機と、
測定に対して制限されたサブフレーム（ＲＦＳＭ）でチャネル品質測定が行われるように示す上位階層シグナリングを前記受信機が受信するとき、通信チャネルの品質をモニターするための測定期間を拡張する処理回路と、
を含む加入者端末。
【請求項２】
前記拡張測定期間は、ＲＦＳＭの関数であることを特徴とする請求項１に記載の加入者端末。
【請求項３】
前記拡張測定期間は、係数によって調節されることを特徴とする請求項２に記載の加入者端末。
【請求項４】
前記拡張測定期間は、アウト−オブ−シンク（ｏｕｔ−ｏｆ−ｓｙｎｃ）測定期間（Ｑｏｕｔ）のための第１拡張測定期間及びイン−シンク（ｉｎ−ｓｙｎｃ）測定期間（Ｑｉｎ）のための第２測定期間のうち少なくとも１つを含むことを特徴とする請求項１に記載の加入者端末。
【請求項５】
前記測定期間は、拡張比率（γ）及び表１及び表２のうち少なくとも１つを基礎とし、
表１は、
【表１】
2013542684.tif 000039
であり、
表２は、
【表２】
2013542684.tif 000040
であり、
時間軸で前記測定期間長は、使用時のＤＲＸ周期の長によることを特徴とする請求項１に記載のユーザ端末。
【請求項６】
前記拡張比率（γ）は、表３及び表４のうち少なくとも１つを基礎とし、
表３は、
【表３】
2013542684.tif 000041
であり、
表４は、
【表４】
2013542684.tif 000042
であることを特徴とする請求項１に記載のユーザ端末。
【請求項７】
前記拡張比率は、異なる周期では異なることを特徴とする請求項１に記載のユーザ端末。
【請求項８】
前記測定期間は、
【表５】
2013542684.tif 000043
を基礎とし、
時間軸で前記測定期間長は、使用される前記ＤＲＸ周期の長によることを特徴とする請求項７に記載のユーザ端末。
【請求項９】
無線通信ネットワークで使用のために、通信チャネルに対するチャネル測定を行うための加入者端末を含む無線通信ネットワークにおいて、
前記加入者端末は、
基地局から信号を受信する受信機と、
測定に対して制限されたサブフレーム（ＲＦＳＭ）でチャネル品質測定が行われるように示す上位階層シグナリングを前記受信機が受信するとき、通信チャネルの品質をモニターするための測定期間を拡張する処理回路と、
を含むことを特徴とする無線通信ネットワーク。
【請求項１０】
前記拡張測定期間は、ＲＦＳＭの関数であることを特徴とする請求項９に記載の無線通信ネットワーク。
【請求項１１】
前記拡張測定期間は、係数によって調節されることを特徴とする請求項１０に記載の無線通信ネットワーク。
【請求項１２】
前記拡張測定期間は、アウト−オブ−シンク（ｏｕｔ−ｏｆ−ｓｙｎｃ）測定期間（Ｑｏｕｔ）のための第１拡張測定期間及びイン−シンク（ｉｎ−ｓｙｎｃ）測定期間（Ｑｉｎ）のための第２測定期間のうち少なくとも１つを含むことを特徴とする請求項９に記載の無線通信ネットワーク。
【請求項１３】
前記測定期間は、拡張比率（γ）及び表６及び表７のうち少なくとも１つを基礎とし、
表６は、
【表６】
2013542684.tif 000044
であり、
表７は、
【表７】
2013542684.tif 000045
であり、
時間軸で前記測定期間長は、使用時のＤＲＸ周期の長によることを特徴とする請求項９に記載の無線通信ネットワーク。
【請求項１４】
前記拡張比率（γ）は、表８及び表９のうち少なくとも１つを基礎とし、
表８は、
【表８】
2013542684.tif 000046
であり、
表９は、
【表９】
2013542684.tif 000047
であることを特徴とする請求項９に記載の無線通信ネットワーク。
【請求項１５】
前記拡張比率は、異なる周期では異なることを特徴とする請求項９に記載の無線通信ネットワーク。
【請求項１６】
前記測定期間は、
【表１０】
2013542684.tif 000048
を基礎とし、
時間軸で前記測定期間長は、使用される前記ＤＲＸ周期の長さによることを特徴とする請求項９に記載の無線通信ネットワーク。
【請求項１７】
無線通信ネットワークで使用のために、通信チャネルに対するチャネル測定を行うための方法において、
基地局から複数の信号を受信する段階と、
測定に対して制限されたサブフレーム（ＲＦＳＭ）らでチャネル品質測定が行われるように示す上位階層シグナリングを受信した後、通信チャネルの品質をモニタリングするための測定期間を拡張する段階と、
を含む方法。
【請求項１８】
前記拡張測定期間は、ＲＦＳＭの関数であることを特徴とする請求項１７に記載の方法。
【請求項１９】
前記拡張測定期間は、係数によって調節されることを特徴とする請求項１８に記載の方法。
【請求項２０】
前記拡張測定期間は、アウト−オブ−シンク（ｏｕｔ−ｏｆ−ｓｙｎｃ）測定期間（Ｑｏｕｔ）のための第１拡張測定期間及びイン−シンク（ｉｎ−ｓｙｎｃ）測定期間（Ｑｉｎ）のための第２測定期間のうち少なくとも１つを含むことを特徴とする請求項１７に記載の方法。
【請求項２１】
前記測定期間は、拡張比率（γ）及び表１１及び表１１のうち少なくとも１つを基礎とし、
表１１は、
【表１１】
2013542684.tif 000049
であり、
表１２は、
【表１２】
2013542684.tif 000050
であり、
時間軸で前記測定期間長は、使用時のＤＲＸ周期の長さによることを特徴とする請求項１７に記載の方法。
【請求項２２】
前記拡張比率（γ）は、表１３及び表１４のうち少なくとも１つを基礎とし、
前記表１３は、
【表１３】
2013542684.tif 000051
であり、
前記表１４は、
【表１４】
2013542684.tif 000052
であることを特徴とする請求項１７に記載の方法。
【請求項２３】
前記拡張比率は、異なる周期では異なることを特徴とする請求項１７に記載の方法。
【請求項２４】
前記測定期間は、
【表１５】
2013542684.tif 000053
を基礎とし、
時間軸で前記測定期間長は、使用される前記ＤＲＸ周期の長さによることを特徴とする請求項１７に記載の方法。
【発明の詳細な説明】
【技術分野】
【０００１】
本発明は、一般的に無線通信システムに関し、より詳細には、無線リンクモニタリングのチャネル測定のためのシステム及び方法に関する。
【背景技術】
【０００２】
サービングセルのダウンリンク無線リンク品質は、上位階層に対するアウト−オブ−シンク／イン−シンク（ｏｕｔ−ｏｆ−ｓｙｎｃ／ｉｎ−ｓｙｎｃ）状態を示すために加入者端末によってモニターされることができる。加入者端末は、サービングセルのダウンリンク無線リンク品質を検出するために、セル特定レファレンス信号に基づいてダウンリンク品質をモニターする。加入者端末は、ダウンリンク無線品質を推定し、これをサービングセルのダウンリンク無線リンク品質をモニタリングするための目的のために閾値Ｑｏｕｔ及びＱｉｎと比較する。
【発明の概要】
【発明が解決しようとする課題】
【０００３】
閾値Ｑｏｕｔは、ダウンリンク無線リンクが確実に受信されることができないレベルであり、伝送とともにＰＣＦＩＣＨエラーを考慮した仮想のＰＤＣＣＨ伝送の［１０％］ブロックエラー率（ｂｌｏｃｋ  ｅｒｒｏｒ  ｒａｔｅ）に対応することができるレベルである。閾値Ｑｉｎは、ダウンリンク無線リンク品質がＱｏｕｔであるときよりも、顕著に確実に受信されることができるレベルであり、伝送パラメータとともにＰＣＦＩＣＨエラーを考慮した仮想のＰＤＣＣＨ伝送の［２％］ブロックエラー率に対応することができるレベルである。
【課題を解決するための手段】
【０００４】
通信チャネルに対するチャネル測定を行うように構成される加入者端末が提供される。前記加入者端末は、基地局から信号を受信するように構成される受信機を含む。前記加入者端末は、また、処理回路を含む。測定に対して制限されたサブフレーム（ＲＦＳＭ）でチャネル品質測定が行われるように示す上位階層シグナリングを前記受信機が受信するとき、前記処理回路は、通信チャネルの品質をモニターするための測定期間を拡張する。
【０００５】
無線通信ネットワークが提供される。前記無線通信ネットワークは、通信チャネルに対するチャネル測定を行うように構成される加入者端末を含む。前記加入者端末は、基地局から信号を受信するように構成される受信機を含む。前記加入者端末は、また、処理回路を含む。測定に対して制限されたサブフレーム（ＲＦＳＭ）でチャネル品質測定が行われるように示す上位階層シグナリングを前記受信機が受信するとき、前記処理回路は、通信チャネルの品質をモニターするための測定期間を拡張する。
【０００６】
通信チャネルに対するチャネル測定を行うための方法が提供される。前記方法は、基地局から複数の信号を受信する段階を含む。前記方法は、また、測定に対して制限されたサブフレーム（ＲＦＳＭ）でチャネル品質測定が行われるように示す前記階層シグナリングを受信した後、通信チャネルの品質をモニタリングするための測定期間を拡張する段階を含む。
【０００７】
下記のような本発明の詳細な説明に入るに先立って、本特許文献全体にわたって使用される任意の単語、そして構文の一部に対する定義について説明することが有利であろう。用語“備える（ｉｎｃｌｕｄｅ）”及び“含む（ｃｏｍｐｒｉｓｅ）”は、それから派生したものと共に、制限なしに含まれることを意味する。用語“または（ｏｒ）”は、及び／または（ａｎｄ／ｏｒ）の意味を含むことができる。構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに連結する（ｉｎｔｅｒｃｏｎｎｅｃｔ ｗｉｔｈ）、含有する（ｃｏｎｔａｉｎ）、内に含有される（ｂｅ ｃｏｎｔａｉｎｅｄ ｗｉｔｈｉｎ）、何にまたは何と連結する（ｃｏｎｎｅｃｔ ｔｏ ｏｒ ｗｉｔｈ）、何にまたは何と対で連結する（ｃｏｕｐｌｅ ｔｏ ｏｒ ｗｉｔｈ）、何と通信を行うことができる（ｂｅ ｃｏｍｍｕｎｉｃａｂｌｅ ｗｉｔｈ）、何に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、何に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の特性を有する（ｈａｖｅ ａ ｐｒｏｐｅｒｔｙ ｏｆ）などの意味になることができる。 用語“制御機（ｃｏｎｔｒｏｌｌｅｒ）”は、ハードウェア、ファームウェア、ソフトウェアまたは前述したもの（ハードウェア、ファームウェア、ソフトウェア）のうち少なくとも２個の組合で具現されるそのような装置の少なくとも１つの動作を制御する任意の装置、システムまたはそれらの一部を意味する。ある個別制御機に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、そうでなければ大部分の場合で、そのように定義された単語と構文の今後の使用と共に、先立って適用されたそのような定義を理解することができる。
【発明の効果】
【０００８】
本発明によれば、無線リンクモニタリングのチャネル測定が効果的に行われる。
【０００９】
本発明とその利点のさらに完全な理解のために、添付の図面とともに次の説明を参照する。ここで、同一の参照番号は、同一の部分を示す。
【図面の簡単な説明】
【００１０】
【図１】本発明の実施形態による非−ＤＲＸモードですべての無線フレームのチャネルリンク品質評価を示す。
【図２】本発明の実施形態によるＤＲＸモードで測定期間を示す。
【図３】本発明の実施形態によるマクロ−フェムト（Ｍａｃｒｏ−Ｆｅｍｔｏ）配置で支配的な干渉条件（ｄｏｍｉｎａｎｔ  ｉｎｔｅｒｆｅｒｅｎｃｅ  ｃｏｎｄｉｔｉｏｎ）を有する無線通信システムを示す。
【図４】本発明によるサブフレーム整列を有するＡＢＳＦに基づくｅＩＣＩＣソリューションを示す。
【図５】本発明の実施形態によるＯＦＤＭシンボルシフトでブランクされた連続したサブフレームに基づくｅＩＣＩＣを示す。
【図６】本発明の実施形態によるマクロ−ピコ配置で支配的な干渉条件を有する無線通信システムを示す。
【図７】本発明の実施形態による例示的な無線加入者端末を示す。
【発明を実施するための形態】
【００１１】
この特許文献で本発明の原理を説明するために使用された多様な実施形態及び下記で論議される図１〜図７は、ただ説明のために使用されるものに過ぎず、本発明の範囲を制限するものと解釈されてはならない。この技術分野における通常の知識を有する者なら本発明の原理が適合に処理された無線通信システムでも具現される可能性があることを理解することができる。
【００１２】
以下の説明において、３ＧＰＰ  ＬＴＥ（Ｌｏｎｇ  Ｔｅｒｍ  Ｅｖｏｌｕｔｉｏｎ）用語“ノードＢ（ｎｏｄｅＢ）”及び“向上したノードＢ（ｅＮｏｄｅＢ）”は、“基地局（ｂａｓｅ  ｓｔａｔｉｏｎ）”に対する他の用語である。また、ＬＴＥ用語“ユーザ装置（ＵＥ：ｕｓｅｒ  ｅｑｕｉｐｍｅｎｔ）”は、“加入者端末（ＳＳ：ｓｕｂｓｃｒｉｂｅｒ  ｓｔａｔｉｏｎ）”または“移動端末（ＭＳ：ｍｏｂｉｌｅ  ｓｔａｔｉｏｎ）”に対する他の用語である。さらに、用語“フェムト（ｆｅｍｔｏ）”は、“フェムト基地局（ｆｅｍｔｏ  ｂａｓｅ  ｓｔａｔｉｏｎ）”に対する他の用語であり、“ピコ（ｐｉｃｏ）”は、“ピコセル（ｐｉｃｏ  ｃｅｌｌ）”に対する他の用語である。用語“リレーノード（ｒｅｌａｙ  ｎｏｄｅ）”は、“リレー基地局（ｒｅｌａｙ  ｓｔａｔｉｏｎ）”に対する他の用語である。
【００１３】
図１は、本発明の実施形態による非−ＤＲＸモードですべての無線フレームのチャネルリンク品質評価を示す。図１に示されたチャネルリンク品質評価１００は、ただ説明のためのものである。本発明の範囲を逸脱することなく、チャネルリンク品質評価の他の例が使用されることができる。
【００１４】
非−ＤＲＸモード動作において、加入者端末の物理階層は、すべての無線フレームで無線リンク品質を測定する。加入者端末は、サービングセルのダウンリンク無線リンク品質をモニタリングするための閾値Ｑｏｕｔ及びＱｉｎに対してあらかじめ定義された時間期間上の無線リンク品質を測定する。閾値Ｑｏｕｔは、ダウンリンク無線リンクが確実に受信されることができないレベルとして定義され、その内容がこれに参照として含まれる３ＧＰＰ  ＴＳ  ３６．１３３、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ”のＴａｂｌｅ  ７．６．１−１に規定された伝送パラメータとともにＰＣＦＩＣＨエラーを考慮する仮想的なＰＤＣＣＨ伝送の［１０％］ブロックエラー率に対応する。閾値Ｑｉｎは、ダウンリンク無線リンクがＱｏｕｔでよりも、顕著に確実に受信されることができるレベルとして定義され、その内容がこれに参照として含まれる３ＧＰＰ  ＴＳ  ３６．１３３、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ”のＴａｂｌｅ  ７．６．１−２に規定された伝送パラメータとともにＰＣＦＩＣＨエラーを考慮する仮想的なＰＤＣＣＨ伝送の［２％］ブロックエラー率に対応する。無線リンク品質が測定される無線フレームで、加入者端末の物理階層は、無線リンク品質が閾値Ｑｏｕｔより悪くなるとき、上位階層に対するアウト−オブ−シンク（ｏｕｔ−ｏｆ−ｓｙｎｃ）を示す。無線リンク品質が閾値Ｑｉｎより良いとき、無線リンク品質が測定される無線フレームで加入者端末の物理階層は、上位階層とイン−シンク（ｉｎ−ｓｙｎｃ）を示す。
【００１５】
各無線フレームで、最後の２００ミリ秒（ｍｓ）周期で推定されたダウンリンク無線リンク品質が閾値Ｑｏｕｔより悪くなるとき、加入者端末のレイヤ１は、アウト−オブ−シンク指示子（ｉｎｄｉｃａｔｉｏｎ）を２００ｍｓ  Ｑｏｕｔ測定期間内で上位階層に伝送する。レイヤ３フィルタは、３ＧＰＰ  ＴＳ  ３６．３３１：“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：Ｒａｄｉｏ  Ｒｅｓｏｕｒｃｅ  Ｃｏｎｔｒｏｌ（ＲＲＣ）ｐｒｏｔｏｃｏｌ  ｓｐｅｃｉｆｉｃａｔｉｏｎ”に説明されたようなアウト−オブ−シンク指示子に適用される。
【００１６】
各無線フレームで、最後の１００ｍｓ周期で推定されるダウンリンク無線リンク品質が閾値Ｑｉｎより良くなるとき、加入者端末のレイヤ１は、１００ｍｓ  Ｑｉｎ測定期間内で上位階層でイン−シンク指示子を伝送する。レイヤ３フィルタは、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：Ｒａｄｉｏ  Ｒｅｓｏｕｒｃｅ  Ｃｏｎｔｒｏｌ（ＲＲＣ）ｐｒｏｔｏｃｏｌ  ｓｐｅｃｉｆｉｃａｔｉｏｎ”に説明されたようなイン−シンク指示子に適用されることができる。
【００１７】
アウト−オブ−シンク（ｏｕｔ−ｏｆ−ｓｙｎｃ）及びイン−シンク（ｉｎ−ｓｙｎｃ）測定は、３ＧＰＰ  ＴＳ  ３６．２１３：“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ”のセクション４．２．１に規定されたもののように行われることができる。レイヤ１から２個の連続した指示子は、少なくとも１０ｍｓに分割されることができる。送信機パワーは、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）ｐｒｏｔｏｃｏｌ  ｓｐｅｃｉｆｉｃａｔｉｏｎ”のセクション５．３．１１に規定されたもののように、タイマー（Ｔ３１０タイマー）の満了後、４０ｍｓ内にオフとされることができる。
【００１８】
例えば、フレーム１０５で加入者端末は、測定期間１１０で全部または一部のサブフレームのセル特定レファレンス信号に基づくダウンリンク品質を推定する。もし以前２０フレームで測定されたリンク品質がＱｏｕｔより低ければ、アウト−オブ−シンク指示子が追加プロセッシング中に上位階層に伝送される。もし以前１０フレームで測定されたリンク品質がＱｉｎより高ければ、イン−シンク指示子が追加プロセッシング中に上位階層に伝送される。
【００１９】
図２は、本発明の実施形態によるＤＲＸモードで測定期間を示す。図２に示された測定期間２００は、ただ説明のためのものである。他の例が本発明の範囲を逸脱することなく使用されることができる。
【００２０】
ＤＲＸモード動作で、毎ＤＲＸ期間に少なくとも１回、加入者端末の物理階層は、無線リンク品質を測定し、これは、閾値Ｑｏｕｔ及びＱｉｎに対してあらかじめ定義された時間期間上で測定される。加入者端末の物理階層は、、無線リンク品質が測定される無線フレームで、無線リンク品質が閾値Ｑｏｕｔより悪くなるとき、上位階層にアウト−オブ−シンクを示す。無線リンク品質が閾値Ｑｉｎより良いとき、無線リンク品質が測定される無線フレームで加入者端末の物理階層は、上位階層とイン−シンクを示す。
【００２１】
ＤＲＸが使用されるとき、Ｑｏｕｔ測定期間（ＴＥｖａｌｕａｔｅ＿Ｑｏｕｔ＿ＤＲＸ）及びＱｉｎ測定期間（ＴＥｖａｌｕａｔｅ＿Ｑｉｎ＿ＤＲＸ）が表１に明示される。
【００２２】
【表１】
2013542684.tif 000003
【００２３】
周期長は、加入者端末が一番目Ｏｎ期間２０５を開始する時から二番目Ｏｎ期間２１０を開始する時までの時間である。ＤＲＸ周期は、また、ＤＲＸ期間２１５として参照される。
【００２４】
最後のＴＥｖａｌｕａｔｅ＿Ｑｏｕｔ＿ＤＲＸ［ｓ］期間上で推定されたダウンリンク無線リンク品質が閾値Ｑｏｕｔより悪くなるとき、加入者端末のレイヤ１は、ＴＥｖａｌｕａｔｅ＿Ｑｏｕｔ＿ＤＲＸ［ｓ］測定期間内で上位階層にアウト−オブ−シンク指示子を伝送する。レイヤ３フィルタは、アウト−オブ−シンク指示子に適用されることができる。
【００２５】
最後のＴＥｖａｌｕａｔｅ＿Ｑｏｕｔ＿ＤＲＸ［ｓ］期間上で推定されたダウンリンク無線リンク品質が閾値Ｑｉｎより良くなる時、加入者端末のレイヤ１は、ＴＥｖａｌｕａｔｅ＿Ｑｏｕｔ＿ＤＲＸ［ｓ］測定期間内で上位階層にイン−シンク指示子を伝送する。レイヤ３フィルタは、イン−シンク指示子に適用されることができる。
【００２６】
レイヤ１から２個の連続した指示子は、少なくとも最大（１０ｍｓ、ＤＲＸ＿ｃｙｃｌｅ＿ｌｅｎｇｔｈ）に分割されることができる。Ｔ３１０タイマーが開始すれば、加入者端末は、Ｔ３１０タイマーが満了するまで非ＤＲＸモードに対応する測定期間及びレイヤ１指示子インターバルを利用して回復のためにリンクをモニターする。送信機パワーは、Ｔ３１０カウンターの満了後、４０ｍｓ内にオフとされることができる。
【００２７】
例えば、各ＤＲＸ期間２１５で、加入者端末は、ユーザ装置（ＵＥ）の具現によって、測定期間２２０でｏｎ期間サブフレームの一部または全部のセル特定レファレンス信号に基づくダウンリンク品質を推定する。もし測定期間上で測定されたリンク品質がＱｏｕｔより低ければ、アウト−オブ−シンク指示子が追加プロセッシング中に上位階層に伝送される。もし測定期間上で測定されたリンク品質がＱｉｎより高ければ、イン−シンク指示子が追加プロセッシング中に上位階層に伝送される。
【００２８】
ＬＴＥ−Ａのために提示される性能要求事項を満たすために、通常のマクロ基地局（ｅＮＢ）と比較して低い伝送パワーを有する新しいノードのシステムで１つのテーマは、協力（ｉｎｃｏｒｐｏｒａｔｉｏｎ）である。これら新しいノード（ピコセル、ｈｏｍｅ  ｅＮＢまたはフェムトセル、リレー）は、システムのトポロジー（ｔｏｐｏｌｏｇｙ）を複数の分類のノードが同一の無線リソースのために“競争する（ｃｏｍｐｅｔｅ）”完全に新しいインターフェース環境を有するさらに多い異種ネットワークに変更する。
【００２９】
異種のネットワークで、干渉問題は、低いパワーノードの導入に起因して深刻になることがあり、これは、特に同−チャネル（ｃｏ−ｃｈａｎｎｅｌ）配置シナリオで低幾何学（ｌｏｗ  ｇｅｏｍｅｔｒｉｅｓ）に誘導する。異種配置で見られる低幾何学は、制御及びデータチャネルの両方が強健な動作（ｒｏｂｕｓｔ  ｏｐｅｒａｔｉｏｎ）を可能にする干渉調整（ｉｎｔｅｒｆｅｒｅｎｃｅ  ｃｏｏｒｄｉｎａｔｉｏｎ）の使用を必要とする。３ＧＰＰ  ＲＡＮ１ミーティングで、資源分割（ｒｅｓｏｕｒｃｅ  ｐａｒｔｉｔｉｏｎ）及び電力制御（ｐｏｗｅｒ  ｃｏｎｔｒｏｌ）のような多くの干渉調整ソリューションが提案された。時間ドメイン干渉調整の同期は、他のレイヤから同一の時間資源で伝送衝突を回避するためのものである。一部のサブフレームで、干渉するノードは、過度な干渉を誘発することを避けるためにその伝送を制限することができ、一方、干渉を受けるノードは、これらサブフレームで干渉するノードから深刻な干渉を経験している加入者端末をスケジューリングすることができる。
【００３０】
図３は、本発明の実施形態によるマクロ−フェムト（Ｍａｃｒｏ−Ｆｅｍｔｏ）配置で支配的な干渉条件（ｄｏｍｉｎａｎｔ  ｉｎｔｅｒｆｅｒｅｎｃｅ  ｃｏｎｄｉｔｉｏｎ）を有する無線通信システムを示す。図３に示された支配的な干渉条件は、ただ説明のためのものである。他の実施形態が本発明の範囲を逸脱することなく使用されることができる。
【００３１】
無線通信システム３００のマクロ−フェムト配置で、非−ＣＳＣマクロ加入者端末（ＭＵＳＳ）３０５は、ＣＳＧフェムトホームｅＮＢ（ＨｅＮＢ）３１０に非常に近接するとき、支配的な干渉条件にさらされる。ここで、ＨｅＮＢ  ３１０からの干渉が次世代周波数干渉制御技術（ｅＩＣＩＣ）ソリューションによって緩和されるかまたは回避されなければ、ＭＵＳＳ  ３０５は、マクロｅＮＢ（ＭｅＮＢ）３１５からの制御またはデータチャネルをデコーディングするのに失敗する。時間ドメインｅＩＣＩＣは、ＨｅＮＢ  ３１０からの干渉が回避されるかまたは緩和されるとき、ＭＵＳＳ  ３０５のための制御チャネル、データチャネル、またはそれらの組合がサブフレームまたはＯＦＤＭシンボルのような時間ドメインリソースで伝送されるソリューションを示す。
【００３２】
図４は、本発明によるサブフレーム整列を有するほぼブランクのサブフレーム（ＡＢＳＦ：ａｌｍｏｓｔ  ｂｌａｎｋ  ｓｕｂｆｒａｍｅ）に基づくｅＩＣＩＣソリューションを示す。図４に示されたｅＩＣＩＣソリューション４００の実施形態は、ただ説明のためのものである。ｅＩＣＩＣソリューション４００の他の実施形態が本発明の範囲を逸脱することなく使用されることができる。
【００３３】
一例として、ＨｅＮＢ  ３１０は、ＡＢＳＦ４０５として設定される一部のサブフレームでＰＤＣＣＨを伝送しない。ほぼブランクため、ＡＢＳＦ４０５でＰＤＳＣＨ伝送はない。ＨｅＮＢ  ３１０は、ＭＵＳＳ  ３０５のチャネルに対する支配的な干渉を緩和するためにＡＢＳＦ  ４０５でＣＲＳ（そしてＰＢＣＨ（ｐｒｉｍａｒｙ  ｂｒｏａｄｃａｓｔ  ｃｈａｎｎｅｌ）、ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）のような一部の必須信号）だけを伝送する。ＡＢＳＦの詳細的な特徴は、“Ｒ１−１０４２５６、ｅＩＣＩＣ  ｓｏｌｕｔｉｏｎｓ  ｄｅｔａｉｌｓ、Ｑｕａｌｃｏｍｍ”でさらに説明される。ＭｅＮＢ  ３１５とＨｅＮＢ  ３１０間のｅＩＣＩＣは、サブフレーム方式（ｓｕｂ−ｆｒａｍｅ−ｗｉｓｅ  ｆａｓｈｉｏｎ）で行われる。他の例において、ＨｅＮＢ  ３１０は、一部のＯＦＤＭシンボルをミュティング（ｍｕｔｉｎｇ）の代わりに、ＡＢＳＦとして全体サブフレーム４０５を設定する。したがって、ＭＵＳＳ  ３０５は、干渉ない制御チャネルを受信することができる。しかし、結果的に、少なくとも２連続したサブフレームは、ＭＵＳＳ  ３０５の制御及びデータチャネルを含むためにＡＢＳＦとして設定されなければならない。すなわち、ＡＢＳＦ設定で一部の制限が存在する。この動作は、ＰＤＳＣＨシンボルミュティングの影響が考慮される必要がないという点で利点になる。ＡＢＳＦ設定で制限は、ＰＤＳＣＨシンボルミュティング接近と比較するとき、相対的なリソース損失につながることができる。しかし、このような損失は、図５に示されたように、できるだけ連続的にＡＢＳＦ４０５を設定することによって緩和されることができる。
【００３４】
図５は、本発明の実施形態によるＯＦＤＭシンボルシフトでブランクの連続したサブフレームに基づくｅＩＣＩＣを示す。図５に示されたｅＩＣＩＣ  ５００の実施形態は、ただ説明のためのものである。ｅＩＣＩＣ  ５００の他の実施形態が本発明の範囲を逸脱することなく使用されることができる。
【００３５】
Ｎ−１サブフレームは、Ｎ個の連続したＨｅＮＢサブフレーム５０５をブランクすることによって、ＨｅＮＢ  ３１０の近くでＭＵＳＳ  ３０５にサービスするのに使用されることができる。ＡＢＳＦの連続した構成（すなわち、Ｎ個の連続したＨｅＮＢサブフレーム５０５）も、先立って論議されたＰＤＳＣＨシンボルミュティングの影響が緩和されるという点で利得である。
【００３６】
図６は、本発明の実施形態によるマクロ−ピコ配置６００で支配的な干渉条件を有する無線通信システムを示す。図６に示されたような支配的な干渉条件は、ただ説明のためのものである。他の実施形態が本発明の範囲を逸脱することなく使用されることができる。
【００３７】
ＭｅＮＢ  ３１５が１つ以上のピコユーザに高い干渉をもたらすとき、サブフレームブランクがセル間干渉（ｉｎｔｅｒ−ｃｅｌｌ  ｉｎｔｅｒｆｅｒｅｎｃｅ）を消去するために適用されることができる。１つの図式的な例で、ＭｅＮＢ  ３１５は、サブフレームＳＦ０、ＳＦ２、ＳＦ５、ＳＦ８及びＳＦ９  ６０５でデータを伝送し、この際、ピコセル６１０は、セル中央ユーザのためにすべてのサブフレーム６１５を使用することができ、セルエッジユーザのためにサブフレームＳＦ１、ＳＦ３、ＳＦ４、ＳＦ６及びＳＦ７を使用することができる。
【００３８】
マクロ−フェムト３００及びマクロ−ピコ６００の２つの例でいずれも、一部の加入者端末は、制限されたサブフレームに対する無線リンクモニタリング（ＲＬＭ：ｒａｄｉｏ  ｌｉｎｋ  ｍｏｎｉｔｏｒｉｎｇ）のための測定を行うためにそのサービングセルによって設定される。これは、不要なＲＬＦ防止及びＲＳＲＰ／ＲＳＲＱの正確な測定結果などを保証する。例えば、図３に示されたようなマクロ−フェムト３００の例で、フェムト加入者端末は、サブフレームＳＦ０、ＳＦ２、ＳＦ５、ＳＦ８及びＳＦ９に対する通信が制限される。そして、フェムトセル３１０に近接したＭＵＳＳ  ３０５は、データ伝送のためにサブフレームＳＦ１、ＳＦ３、ＳＦ４、ＳＦ６及びＳＦ７に対してスケジューリングされることができる。図６に示されたようなマクロ−ピコ６００の例で、マクロ加入者端末６２０、６２１、６２２は、サブフレームＳＦ０、ＳＦ２、ＳＦ５、ＳＦ８及びＳＦ９に対する通信が制限される。一方、ピコセルエッジ加入者端末６２５は、サブフレームＳＦ１、ＳＦ３、ＳＦ４、ＳＦ６及びＳＦ７のみに対してスケジューリングされる。
【００３９】
この場合で、加入者端末がリンク品質をモニタリングするために一部のサブフレームに対する測定を制限することが必要であるとき、チャネルリンク品質推定のために利用することができるサブフレームの数は、すべてのサブフレームが推定目的のために使用されることができるリリース８（Ｒｅｌ−８）システムでよりも小さい。特に、すべて１０個のサブフレームが測定のために使用されることができるとき、加入者端末が各無線フレームでただ１つのサブフレームに対する測定を行うことが制限される場合において、チャネルリンク品質モニタリングは、測定期間の同一の期間に基づいてこれ以上信頼することができない。
【００４０】
上位階層シグナリングが制限された無線リンクモニタリングのために任意のサブフレームを示すとき、無線リンク品質は、示されたものを除いたどんなサブフレームでもモニターされない。加入者端末がチャネル品質測定を行うことが制限されるサブフレームは、測定に対して制限されたサブフレーム（ＲＳＦＭ）で示されることができる。１つの例で、ＲＳＦＭは、ＡＢＳＦ、すなわち図６でピコセルエッジ加入者端末６２５のためのサブフレームＳＦ１、ＳＦ３、ＳＦ４、ＳＦ６、ＳＦ７  ６３０である。１つの例で、ＲＳＦＭは、ＭＵＳＳ  ６２０、６２１、６２２のためのサブフレームＳＦ０、ＳＦ２、ＳＦ５、ＳＦ８、ＳＦ９  ６０５である。１つの例で、ＲＳＦＭは、図３でフェムトセル３１０に近接したＭＵＳＳ  ３０５のためのＳＦ１、ＳＦ３、ＳＦ４、ＳＦ６、ＳＦ７  ３３０のようなＡＢＳＦである。他の例で、ＲＳＦＭは、フェムト加入者端末のためのサブフレームＳＦ０、ＳＦ２、ＳＦ５、ＳＦ８及びＳＦ９  ３３５である。
【００４１】
本発明の一部の実施形態において、無線リンクモニタリングの測定期間は、リリース８（Ｒｅｌ−８）と同一の性能を保証するために改善する。一部の実施形態において、測定期間は、ＤＲＸ及び非−ＤＲＸモードの両方で無線リンクモニタリングに対して延長される。
【００４２】
非−ＤＲＸの場合で、ＭＵＳＳ  ３０５は、測定される各無線フレームで検証期間を超えてリンク品質を検証する。制限された測定で、ＲＳＦＭは、ただ検証期間の各フレーム内でリンク品質測定のために使用されることができる。さらに、使用される特定ＲＳＦＭは、加入者端末具現及び性能要求事項による。
【００４３】
一部の実施形態において、ＭＵＳＳ  ３０５は、拡張された検証期間（ＥＥＰ：ｅｘｔｅｎｄｅｄ  ｅｖａｌｕａｔｉｏｎ  ｐｅｒｉｏｄ）を行うように設定される。ＭＵＳＳ  ３０５は、Ｑｉｎ測定ＥＥＰＩのための拡張された検証期間及びＱｏｕｔ測定ＥＥＰＯのための拡張された検証期間を行うことができる。ここで、１つの無線フレームでＲＳＦＭの数は、ＮＲＳＦＭで示される。
【００４４】
一部の実施形態において、ＥＥＰＩ及びＥＥＰＯの両方は、ＮＲＳＦＭの関数である。例えば、数式１ないし２は、次の通りである。
[数式１]
Ｑｏｕｔ：ＥＥＰＯ＝ｆ（２００，ＮＲＳＦＭ）；または
【数１】
2013542684.tif 000004
[数式２]
【数２】
2013542684.tif 000005
【００４５】
一部の実施形態において、ＥＥＰＩ及びＥＥＰＯは、数式３及び４によって定義される。
【００４６】
[数式３]
【数３】
2013542684.tif 000006
【００４７】
[数式４]
【数４】
2013542684.tif 000007
【００４８】
一部の実施形態において、ＥＥＰＩ及びＥＥＰＯは、数式５及び６によって定義される。
【００４９】
[数式５]
【数５】
2013542684.tif 000008
【００５０】
[数式６]
【数６】
2013542684.tif 000009
【００５１】
一部の実施形態において、ＥＥＰＩ及びＥＥＰＯは、調節係数（ａｄｊｕｓｔｉｎｇ  ｃｏｅｆｆｉｃｉｅｎｔ）を含むことができる。例えば、ＥＥＰＩ及びＥＥＰＯは、数式７及び８によって定義されることができる。
【００５２】
[数式７]
【数７】
2013542684.tif 000010
【００５３】
[数式８]
【数８】
2013542684.tif 000011
【００５４】
一部の実施形態において、ＥＥＰＩ及びＥＥＰＯは、数式９及び１０によって定義される。
【００５５】
[数式９]
【数９】
2013542684.tif 000012
【００５６】
[数式１０]
【数１０】
2013542684.tif 000013
【００５７】
一部の実施形態において、ＥＥＰＩ及びＥＥＰＯは、テーブルに基づくマッピング関数を基礎とする。例えば、ＥＥＰＩ及びＥＥＰＯは、表２を基礎とすることができる：
【００５８】
【表２】
2013542684.tif 000014
【００５９】
一部の実施形態において、ＥＥＰＩは、測定に対して制限されない加入者端末の、ＥＰＩで示される、Ｑｉｎの測定期間の関数である。また、ＥＥＰＯは、測定に対して制限されない加入者端末の、ＥＰＯで示される、Ｑｏｕｔの測定期間の関数である。すなわち、次の通りである：
【００６０】
[数式１１]
【数１１】
2013542684.tif 000015
【００６１】
[数式１２]
【数１２】
2013542684.tif 000016
【００６２】
一部の実施形態において、ＥＥＰＩ及びＥＥＰＯは、数式１３及び１４を基礎とすることができる：
【００６３】
[数式１３]
【数１３】
2013542684.tif 000017
【００６４】
[数式１４]
【数１４】
2013542684.tif 000018
【００６５】
数式１３及び１４で、ｋｉ及びｋｏは、異なるかまたは同一であることができる。１つの例で、ｋｏ＝ｋｉ＝２であるか、ｋｏ＝３及びｋｉ＝２である。
【００６６】
ＤＲＸの場合、ＭＵＳＳ  ３０５は、ＤＲＸ期間ごとに少なくとも１回無線リンク品質を測定することができる。また、測定期間は、先立ってこの文献で論議されたように、いくつかの連続したＤＲＸ期間である。制限された測定内で、測定期間の各フレーム内のＲＳＦＭだけがリンク品質測定のために使用されることができる。また、使用される特定ＲＳＦＭは、ユーザ装置具現及び性能要求事項による。
【００６７】
一部の実施形態において、拡張されたＱｏｕｔ測定期間（ＴＥｖａｌｕａｔｅ＿Ｑｏｕｔ＿ＤＲＸ２）は、ＴＥｖａｌｕａｔｅ＿Ｑｏｕｔ＿ＤＲＸ及びＲＳＦＭ比率（α）の関数になることができる。ＲＦＳＭ比率（α）は、数式１５によって定義されることができる：
【００６８】
[数式１５]
【数１５】
2013542684.tif 000019
【００６９】
拡張されたＱｉｎ測定期間（ＴＥｖａｌｕａｔｅ＿Ｑｉｎ＿ＤＲＸ２）は、ＴＥｖａｌｕａｔｅ＿Ｑｉｎ＿ＤＲＸ及びαの関数になることができる。例えば、Ｑｏｕｔのための拡張された測定期間は、次の通りである：
【００７０】
Ｑｏｕｔ：ＴＥｖａｌｕａｔｅ＿Ｑｏｕｔ＿ＤＲＸ２＝ｆ（ＴＥｖａｌｕａｔｅ＿Ｑｏｕｔ＿ＤＲＸ，α）；そして
【００７１】
Ｑｉｎのための拡張された測定期間は、次の通りである：
【００７２】
Ｑｉｎ：ＴＥｖａｌｕａｔｅ＿Ｑｉｎ＿ＤＲＸ２＝ｆ（ＴＥｖａｌｕａｔｅ＿Ｑｉｎ＿ＤＲＸ，α）。
【００７３】
ここで、周期の単位は、測定期間のすべての定義で使用される。
【００７４】
一部の実施形態において、
【００７５】
[数式１６]
【数１６】
2013542684.tif 000020
【００７６】
[数式１７]
【数１７】
2013542684.tif 000021
【００７７】
一部の実施形態において：
【００７８】
[数式１８]
【数１８】
2013542684.tif 000022
【００７９】
[数式１９]
【数１９】
2013542684.tif 000023
【００８０】
一部の実施形態において、ＴＥｖａｌｕａｔｅ＿Ｑｏｕｔ＿ＤＲＸ２及びＴＥｖａｌｕａｔｅ＿Ｑｉｎ＿ＤＲＸ２は、数式２０及び２１によって定義される。ここで、０<β≦１は、調節係数である。
【００８１】
[数式２０]
【数２０】
2013542684.tif 000024
【００８２】
[数式２１]
【数２１】
2013542684.tif 000025
【００８３】
一部の実施形態において、ＴＥｖａｌｕａｔｅ＿Ｑｏｕｔ＿ＤＲＸ２及びＴＥｖａｌｕａｔｅ＿Ｑｉｎ＿ＤＲＸ２は、数式２２及び２３によって定義される。ここで、０<β≦１は、調節係数である。
【００８４】
[数式２２]
【数２２】
2013542684.tif 000026
【００８５】
[数式２３]
【数２３】
2013542684.tif 000027
【００８６】
一部の実施形態において、テーブルに基づくマッピング関数は、測定期間を定義するために使用されることができる。
【００８７】
例えば、表３に定義された測定期間が使用されることができる。この例で、同一の拡張比率がすべてのＤＲＸ周期長に対して使用される。
【００８８】
【表３】
2013542684.tif 000028
【００８９】
同等に、表３は、下記に示されたように、表４の形式でさらに記述されることができる。
【００９０】
【表４】
2013542684.tif 000029
【００９１】
表３及び表４のための拡張比率γは、“２”のような１つの値であるか、さらに良い単位のために表で与えられることができる。一例で、γは、表５で与えられる。この定義内で、異なる拡張期間は、ＡＢＳＦ比率を基礎としてすべてのＤＲＸ周期長のために定義される。αが１であるとき、すべてのサブフレームは、制限が適用されない場合と同等な測定に使用されることができる。他の例で、γは、表６に与えられる。この例で、上位階層シグナリングが制限された無線リンクモニタリングのためのサブフレームを示す場合、測定期間は、どんな制限も適用されないとき、期間の二倍に増加する。
【００９２】
拡張比率γは、また、上位階層シグナリングを利用してＭＵＳＳ  ３０５に対してシグナリングされる。
【００９３】
【表５】
2013542684.tif 000030
【００９４】
【表６】
2013542684.tif 000031
【００９５】
他の例で、テーブルに基づく関数は、異なるＤＲＸ周期長のための異なる拡張比率を定義することができる。例は、表７で与えられ、この拡張比率γ１、γ２、γ３は、互いに異なるかまたは同一の値を有することができる。
【００９６】
【表７】
2013542684.tif 000032
【００９７】
拡張比率は、明示的にあらかじめ決定されることができる。拡張比率の例は、表８で与えられる。
【００９８】
拡張比率は、また、αの関数になることができる。これらの関数は、αの表現またはテーブルに基づくマッピング関数になることができる。テーブルに基づくマッピング関数の例は、表９で与えられる。
【００９９】
他の例で、拡張比率は、上位階層シグナリングを利用してユーザ装置に対してシグナリングされることができる。
【０１００】
【表８】
2013542684.tif 000033
【０１０１】
【表９】
2013542684.tif 000034
【０１０２】
一部の実施形態において、拡張Ｑｏｕｔ測定期間（ＴＥｖａｌｕａｔｅ＿Ｑｏｕｔ＿ＤＲＸ２）は、ＴＥｖａｌｕａｔｅ＿Ｑｏｕｔ＿ＤＲＸの関数になることができ、拡張Ｑｉｎ測定期間（ＴＥｖａｌｕａｔｅ＿Ｑｉｎ＿ＤＲＸ２）は、ＴＥｖａｌｕａｔｅ＿Ｑｉｎ＿ＤＲＸの関数になることができる。すなわち、Ｑｏｕｔのための拡張測定期間は、次の通りである。
【０１０３】
[数式２４]
【数２４】
2013542684.tif 000035
【０１０４】
また、Ｑｉｎのための拡張測定期間は、次の通りである。
【０１０５】
[数式２５]
【数２５】
2013542684.tif 000036
【０１０６】
ここで、周期の単位は、測定期間のすべての定義で使用される。
【０１０７】
一例で、測定期間は、数式２６及び２７によって定義される。
【０１０８】
[数式２６]
【数２６】
2013542684.tif 000037
【０１０９】
[数式２７]
【数２７】
2013542684.tif 000038
【０１１０】
数式２６及び２７で、ｋｏ及びｋｉは、互いに異なるかまたは同一であることができる。一例で、上位階層レイヤシグナリングが制限された無線リンクモニタリングのために任意のサブフレームであることを示すとき、ｋｏ＝ｋｉ＝２であるか、またはｋｏ＝３及びｋｉ＝２である。制限された無線リンクモニタリングのための任意のサブフレームであることを示す上位階層シグナリングがなければ、ｋｏ＝ｋｉ＝１である。
【０１１１】
追加及び代案的な実施形態において、テーブルに基づくマッピング関数は、測定期間を定義するために使用されることができる。その例は、該当する説明及び表４ないし表９で与えられた。
【０１１２】
図７は、本発明の実施形態による例示的な無線加入者端末を示す。図７に示された無線加入者端末３０５の実施形態は、単に説明のためのものである。無線加入者端末の他の実施形態が本発明の範囲を逸脱することなく使用されることができる。
【０１１３】
無線加入者端末３０５は、進歩された加入者端末（ＡＭＳ：ａｄｖａｎｃｅ  ｓｕｂｓｃｒｉｂｅｒ  ｓｔａｔｉｏｎ）になることができる。加入者端末３０５は、アンテナ７０５、無線周波数（ＲＦ）送受信機７１０、伝送（ＴＸ）処理回路７１５、マイクロホン７２０、及び受信（ＲＸ）処理回路７２５を含む。加入者端末３０５は、また、スピーカー７３０、メインプロセッサ７４０、入／出力（Ｉ／Ｏ）インターフェース（ＩＦ）７４５、キーパッド７５０、ディスプレイ７５５、及びメモリ７６０を含む。メモリ７６０は、オペレーティングシステム（ＯＳ）プログラム７６１及び複数のアプリケーション７６２をさらに含む。
【０１１４】
無線周波数送受信機７１０は、無線ネットワーク３００の基地局３１５によって伝送された入力される（ｉｎｃｏｍｉｎｇ）ＲＦ信号をアンテナ７０５から受信する。無線周波数送受信機７１０は、入力されるＲＦ信号を中間周波数（ＩＦ：ｉｎｔｅｒｍｅｄｉａｔｅ  ｆｒｅｑｕｅｎｃｙ）またはベースバンド（Ｂａｓｅｂａｎｄ）信号を生成するためにダウン−コンバート（ｄｏｗｎ−ｃｏｎｖｅｒｔ）する。中間周波数またはベースバンド信号は、ベースバンド信号または中間周波数信号をフィルタリング、デコーディング及び／またはデジタル化して処理されたベースバンド信号を生成する受信（ＲＸ）処理回路７２５に伝送される。受信（ＲＸ）処理回路７２５は、追加処理のために（例えば、ウェブブラウジング）処理されたベースバンド信号をスピーカー７３０（すなわち、音声データ）またはメインプロセッサ７４０に伝送する。
【０１１５】
伝送（Ｔｘ）処理回路７１５は、マイクロホン７２０からアナログまたはデジタル音声データを受信するか、またはメインプロセッサ７４０から他の出力される（ｏｕｔｇｏｉｎｇ）ベースバンドデータ（例えば、ウェブデータ、電子メール、インタラクティブビデオゲームデータ）を受信する。伝送（Ｔｘ）処理回路７１５は、処理されたベースバンド信号または中間周波数信号を生成するために出力される（ｏｕｔｇｏｉｎｇ）ベースバンドデータをエンコーディング、多重化及び／またはデジタル化する。無線周波数（ＲＦ）送受信機７１０は、伝送（Ｔｘ）処理回路７１５から、出力される（ｏｕｔｇｏｉｎｇ）処理されたベースバンド信号または中間周波数信号を受信する。無線周波数（ＲＦ）送受信機７１０は、アンテナ７０５を通じて伝送される無線周波数（ＲＦ）信号でベースバンド信号または中間周波数信号をアップコンバート（ｕｐ−ｃｏｎｖｅｒｔ）する。
【０１１６】
一部の実施形態において、メインプロセッサ７４０は、マイクロプロセッサまたはマイクロコントローラである。メモリ７６０は、メインプロセッサ７４０と結合される。一部の実施形態によれば、メモリ７６０の一部は、ＲＡＭ（ｒａｎｄｏｍ  ａｃｃｅｓｓ  ｍｅｍｏｒｙ）を含む。また、メモリ７６０の他の一部は、ＲＯＭ（ｒｅａｄ−ｏｎｌｙ  ｍｅｍｏｒｙ）として動作するフラッシュメモリを含む。
【０１１７】
メインプロセッサ７４０は、無線加入者端末３０５の全体動作を制御するためにメモリ７６０に格納される基本オペレーティングシステム（ＯＳ）プログラム７６１を実行する。１つのそのような動作で、メインプロセッサ７４０は、よく知られた原理によって、無線周波数（ＲＦ）送受信機７１０、受信（Ｒｘ）処理回路７２５、及び伝送（Ｔｘ）処理回路７１５によって順方向チャネル信号（ｆｏｒｗａｒｄ  ｃｈａｎｎｅｌ  ｓｉｇｎａｌ）の受信及び逆方向チャネル信号（ｒｅｖｅｒｓｅ  ｃｈａｎｎｅｌ  ｓｉｇｎａｌ）の伝送を制御する。
【０１１８】
メインプロセッサ７４０は、無線リンクモニタリングのためにチャネル測定のための動作のような、メモリ７６０に常在する他の処理及びプログラムを実行することができる。メインプロセッサ７４０は、実行プロセスによって要求される通り、メモリ７６０内、または外部にデータを移動することができる。一部の実施形態において、メインプロセッサ７４０は、無線リンクモニタリングのためにチャネル測定のためのアプリケーションのように複数のアプリケーション７６２を実行するように設定される。例えば、メインプロセッサ７４０は、Ｑｏｕｔ、Ｑｉｎ、ＥＥＰＯ、ＥＥＰＩ、ＥＰＯ、ＥＰＩ、ＴＥｖａｌｕａｔｅ＿Ｑｏｕｔ＿ＤＲＸ２、ＴＥｖａｌｕａｔｅ＿Ｑｉｎ＿ＤＲＸ２などを演算するために複数のアプリケーション７６２を実行するように設定される。メインプロセッサ７４０は、ＭｅＮＢ  ３０５から受信された信号に応答するか、ＯＳプログラム７６１を基礎として複数のアプリケーションを動作することができる。メインプロセッサ７４０は、また、Ｉ／Ｏインターフェース７４５に結合される。Ｉ／Ｏインターフェース７４５は、加入者端末３０５にラップトップコンピュータ及び携帯用コンピュータのような他の装置に連結する能力を提供する。Ｉ／Ｏインターフェース７４５は、これらアクセサリーとメインプロセッサ７４０との間の通信経路である。
【０１１９】
メインプロセッサ７４０は、また、キーパッド７５０及びディスプレイユニット７５５に連結される。加入者端末３０５の操作者は、加入者端末３０５にデータを入力するためにキーパッド７０５を利用する。ディスプレイ７５５は、ウェブサイトからテキスト及び／または少なくとも制限されたグラフィックをレンダリングすることができるＬＣＤ（ｌｉｑｕｉｄ  ｃｒｙｓｔａｌ  ｄｉｓｐｌａｙ）になることができる。代案的な実施形態は、他の形式のディスプレイを使用することができる。
【０１２０】
本発明が例示的な実施形態とともに説明されたが、多様な変更及び修正がこの技術分野における通常の知識を有する者に提案されることができる。本発明は、添付の請求範囲の範囲内でそのような変更及び修正を含むように意図された。
【符号の説明】
【０１２１】
７０５  アンテナ
７１０  無線周波数（ＲＦ）送受信機
７１５  伝送（ＴＸ）処理回路
７２０  マイクロホン
７２５  受信（ＲＸ）処理回路
７３０  スピーカー
７４０  メインプロセッサ
７４５  入／出力（Ｉ／Ｏ）インターフェース（ＩＦ）
７５０  キーパッド
７５５  ディスプレイ
７６０  メモリ
７６１  オペレーティングシステム（ＯＳ）プログラム
７６２  アプリケーション
【図１】
2013542684.tif 000054
【図２】
2013542684.tif 000055
【図７】
2013542684.tif 000056
【図３】
2013542684.tif 000057
【図４】
2013542684.tif 000058
【図５】
2013542684.tif 000059
【図６】
2013542684.tif 000060
【国際調査報告】
2013542684.tif 000061
2013542684.tif 000062